(57)【要約】  ブロードキャスティングサービスを提供する無線通信システムにおけるブロードキャスティング信号の送信のためのシステム及び方法を提供する。このようなシステム及び方法において、端末機は、中継器から送信された信号を受信し、信号の受信性能情報を計算した後に、受信性能情報が所定の基準エラー値以上である場合に、受信性能情報を管理センターへ送信する。管理センターは、端末機から送信された受信性能情報に基づいて中継器を制御する。中継器は、管理センターから送信された制御信号に基づいて、送信信号の強度及び送信角度を調整する。
2008508784.tif 000002
【特許請求の範囲】
【請求項１】
ブロードキャスティングサービスを提供する無線通信システムであって、
中継器から送信された信号を受信して、前記信号の受信性能情報を生成した後に、前記受信性能情報が所定の基準エラー値以上である場合に、前記受信性能情報を送信する端末機と、
前記端末機から送信された受信性能情報に基づいて制御信号を生成する受信性能情報を受信し、前記制御信号を前記中継器へ送信する管理センターと、
前記管理センターから送信された制御信号に基づいて、送信信号の強度又は送信角度を調整する中継器と
を含んで構成されることを特徴とするシステム。
【請求項２】
前記受信性能情報は、
受信信号の強度、パケットエラー率、及び前記中継器に従う受信信号の個々のビットエラー率、及びすべての中継器に対する統合ビットエラー率のうち少なくとも１つに基づくことを特徴とする請求項１記載のシステム。
【請求項３】
前記端末機は、
前記受信性能情報を送信した後に、後続して受信される信号に関する受信性能情報を少なくとも一回以上さらに送信することを特徴とする請求項１記載のシステム。
【請求項４】
前記端末機は、
前記中継器との信号を送受信する無線部と、
前記所定の基準エラー値を記憶するメモリと、
前記中継器から送信された信号に対して信号処理を遂行し、前記受信性能情報を生成する制御部とを含んで構成されることを特徴とする請求項１記載のシステム。
【請求項５】
前記管理センターは、
前記制御信号を前記中継器へ送信した後に、前記端末機から送信された受信性能情報が適切であるか否かを確認することを特徴とする請求項１記載のシステム。
【請求項６】
前記管理センターは、
前記中継器との無線信号を送受信する無線部と、
前記端末機から送信された受信性能情報に基づいて、前記中継器の送信信号の強度又は送信角度を制御する制御信号を生成する制御部とを含んで構成されることを特徴とする請求項１記載のシステム。
【請求項７】
ブロードキャスティングサービスを提供するために、端末機、中継器、及び管理センターを含む無線通信システムにおける放送信号の送信を制御する方法であって、
前記端末機が中継器から送信された信号を受信し、前記信号の受信性能情報を計算した後に、前記受信性能情報が所定の基準エラー値以上である場合に、前記受信性能情報を前記管理センターへ送信する第１のステップと、
前記管理センターが、前記端末機から送信された受信性能情報に基づいて、前記中継器を制御する制御信号を生成する第２のステップと、
前記中継器が、前記管理センターから送信された制御信号に基づいて、送信信号の強度及び送信角度を調整する第３のステップと
を具備することを特徴とする方法。
【請求項８】
前記受信性能情報は、
受信信号の強度、パケットエラー率、及び前記中継器に従う受信信号の個々のビットエラー率、及びすべての中継器に対する統合ビットエラー率のうち少なくとも１つに基づくことを特徴とする請求項７記載の方法。
【請求項９】
前記第１のステップにおいて、前記端末機が前記受信性能情報を送信した後に、後続して受信される信号に関する受信性能情報を少なくとも一回以上さらに送信するステップをさらに含んでなされることを特徴とする請求項７記載の方法。
【請求項１０】
前記第３のステップにおいて、前記管理センターが前記制御信号を前記中継器へ送信した後に、前記端末機から送信された受信性能情報が適切であるか否かを再確認するステップをさらに含んでなされることを特徴とする請求項７記載の方法。
【請求項１１】
ブロードキャスティングサービスを提供することができる無線通信システムにおける端末機へ前記ブロードキャスティングサービスを提供する管理センターであって、
中継器との無線信号を送受信する無線部と、
前記端末機から送信された受信性能情報に基づいて、前記中継器を制御する制御信号を生成する制御部と
を含んで構成されることを特徴とする管理センター。
【請求項１２】
前記制御部は、
前記端末機から送信された受信性能情報に基づいて、前記中継器の各々の送信信号の強度又は送信角度を計算することを特徴とする請求項１２記載の管理センター。
【請求項１３】
前記制御信号は、
前記中継器の各々の送信信号の強度又は送信角度に関する情報を含むことを特徴とする請求項１１記載の管理センター。
【請求項１４】
ブロードキャスティングサービスを提供する無線通信システムにおける端末機へブロードキャスティングサービスを提供する管理センターで放送信号の送信を制御する方法であって、
前記端末機から送信された受信性能情報を受信するステップと、
前記受信性能情報に基づいて、中継器を制御する制御信号を生成するステップと、
前記制御信号を前記中継器へ送信するステップとを具備することを特徴とする方法。
【請求項１５】
前記制御信号を前記中継器へ送信した後に、前記端末機から送信された受信性能情報が適切であるか否かを確認するステップをさらに含んでなされることを特徴とする請求項１４記載の方法。
【請求項１６】
前記制御信号は、
前記中継器の各々の送信信号の強度及び送信角度の情報を含むことを特徴とする請求項１４記載の方法。
【請求項１７】
ブロードキャスティングサービスを提供する無線通信システムにおける管理センターから前記ブロードキャスティングサービスの提供を受信する端末機であって、
前記中継器との信号を送受信する無線部と、
前記中継器から送信された信号に対して受信性能情報を計算し、前記受信性能情報が所定の基準エラー値以上である場合に、前記受信性能情報を前記管理センターへ送信する制御部と、
前記所定の基準エラー値を記憶するメモリと
を含んで構成されることを特徴とする端末機。
【請求項１８】
前記受信性能情報は、
受信信号の強度、パケットエラー率、及び前記中継器に従う受信信号の個々のビットエラー率、及びすべての中継器に対する統合ビットエラー率のうち少なくとも１つに基づくことを特徴とする請求項１７記載の端末機。
【請求項１９】
前記端末機は、
前記受信性能情報を送信した後に、後続して受信される信号に関する受信性能情報を少なくとも一回以上さらに送信することを特徴とする請求項１７記載の端末機。
【請求項２０】
ブロードキャスティングサービスを提供する無線通信システムにおける管理センターから前記ブロードキャスティングサービスの提供を受信する端末機が受信性能を向上させる方法であって、
中継器から送信された信号に対して受信性能情報を計算するステップと、
前記受信性能情報が所定の基準エラー値以上である場合に、前記受信性能情報を前記管理センターへ送信するステップと
を具備することを特徴とする方法。
【請求項２１】
前記受信性能情報は、
受信信号の強度、パケットエラー率、及び前記中継器に従う受信信号の個々のビットエラー率、及びすべての中継器に対する統合ビットエラー率のうち少なくとも１つに基づくことを特徴とする請求項２０記載の方法。
【請求項２２】
前記端末機は、
前記受信性能情報を送信した後に、後続して受信される信号に関する受信性能情報を少なくとも一回以上さらに送信するステップをさらに具備することを特徴とする請求項２０記載の方法。
【発明の詳細な説明】
【技術分野】
【０００１】
本発明は、無線通信システムにおいて、信号の送信を制御するためのシステム及び方法に関し、特に、ブロードキャスティングサービス（Broadcasting Service）を提供する無線通信システムにおける放送信号の送信を制御するためのシステム及び方法に関する。
【背景技術】
【０００２】
一般に、無線通信システムは、端末機の移動性を提供するシステムであって、符号分割多元接続（code division multiple access；ＣＤＭＡ）無線通信システム、及びユニバーサル移動体通信サービス（universal mobile telecommunication service；ＵＭＴＳ）システムなどがある。このようなシステムに加えて、ディジタルマルチメディアブロードキャスティング（Digital Multimedia Broadcasting；以下、‘ＤＭＢ’と称する）サービスを提供するＤＭＢ無線通信システムがある。
【０００３】
このようなＤＭＢサービスは、ユーザが高品質のマルチチャンネルマルチメディアブロードキャスティングを楽しむことができる次世代ディジタルブロードキャスティングサービスである。このようなＤＭＢサービスは、一般に、携帯端末機又は車両用端末機に適用され、家庭用にも適用される。
【０００４】
このようなＤＭＢサービスを提供するためには、１３．８２４〜１３．８８３ＧＨｚの放送信号が衛星ディジタルマルチメディアブロードキャスティングセンターから衛星へ送信される。すると、上記衛星は、良質の信号を端末機へ提供するために、地上中継器（terrestrial repeater）へ１２．２１４〜１２．２３９ＧＨｚの信号を送信するだけではなく、端末機が直接受信するための２．６３０〜２．６５５ＧＨｚの信号も送信する。上記地上中継器は、衛星信号が到達することができない地域に位置した端末機へ信号を送信する。従って、上記地上中継器は、上記衛星から受信された１２．２１４〜１２．２３９ＧＨｚの信号を復調した後に、都心地域のようなマルチフェージング環境でも、移動受信が可能であるように上記復調された信号を変調した後に、２．６３０〜２．６５５ＧＨｚの信号を最終的に出力する。
【０００５】
上記地上中継器を介して信号を受信するＤＭＢ端末機が図１に示すように複数の中継器からの信号が重なっている位置にある場合、又は、図２に示すように、上記地上中継器からの送信信号を受信できない位置にある場合に、ＤＭＢ端末機は、上記信号を適切に受信することができない。
【０００６】
従って、上記端末機が上記中継器から信号を受信する受信状態がよくない場合には、該当地域の中継器の信号性能を分析して、上記端末機が最適化した信号を受信することができるように中継器の信号性能を調整する。
【０００７】
しかしながら、特定の端末機が最適化した信号を受信することができるように、上記中継器の信号性能を調整すると、特定の該当端末機の受信性能は、良くなるが、同一の中継器を使用する他の地域にある端末機の受信性能は、低下される。
【０００８】
このように、特定の端末機に最適化した信号を受信することができるように、上記中継器を調整せず、該当中継器から信号を受信するすべての端末機の受信性能を最適化するためには、管理者は、１つの地域で端末機の受信性能が良い場合、他の地域で他の端末機の受信性能を調査しなければならない。すなわち、すべての端末機に対して、中継器からの信号の受信性能を最適化するために、管理者は、各中継器のカバレッジエリアを分析しなければならない。また、このように分析された情報に基づいて、管理者は、網の再構成、すなわち、中継器の再調整を遂行しなければならない。
【０００９】
従って、端末機の受信性能を最適化するためには、多くの時間及び努力が必要とされるので、中継器の調整を実時間で即座にアップデートすることができない、という問題点があった。
【発明の開示】
【発明が解決しようとする課題】
【００１０】
上記背景に鑑みて、本発明の目的は、ブロードキャスティングサービスを提供する無線通信システムにおいて、放送信号の送信を制御するためのシステム及び方法を提供することにある。
【００１１】
本発明の他の目的は、ＤＭＢ端末機の信号の受信性能を最適化するための中継器の調整を実時間で制御するための装置及び方法を提供することにある。
【課題を解決するための手段】
【００１２】
上記のような目的を達成するために、本発明の第１の見地によると、ブロードキャスティングサービスを提供する無線通信システムは、中継器から送信された信号を受信して、上記信号の受信性能情報を生成した後に、上記受信性能情報が所定の基準エラー値以上である場合に、上記受信性能情報を送信する端末機と、上記端末機から送信された受信性能情報に基づいて制御信号を生成する受信性能情報を受信し、上記制御信号を上記中継器へ送信する管理センターと、上記管理センターから送信された制御信号に基づいて、送信信号の強度又は送信角度を調整する中継器とを含んで構成されることを特徴とする。
【００１３】
本発明の第２の見地によると、ブロードキャスティングサービスを提供する無線通信システムにおける端末機へブロードキャスティングサービスを提供する管理センターで放送信号の送信を制御する方法は、上記端末機から送信された受信性能情報を受信するステップと、上記受信性能情報に基づいて、中継器を制御する制御信号を生成するステップと、上記制御信号を上記中継器へ送信するステップとを具備することを特徴とする。
【発明の効果】
【００１４】
本発明の実施形態によると、管理センターは、端末機が送信した受信性能情報を通じて実時間で最適化した中継器を各端末機に割り当てることによって、各端末機は、常に最適化した中継器の信号が受信でき、ユーザーは、良質のサービスを使用することができる、という長所がある。
【００１５】
また、本発明のように、管理センターは、すべての端末機の受信性能に基づいて中継器を実時間で制御する。中継器が１つの地域での１つの端末機に対してのみ調整されるとの事実によって、他の地域での他の端末機がよくない受信性能を有することを防止することができる。さらに、管理者は、中継器の信号性能の分析のために、網全体の性能分析に必要とされる時間及び努力を節約することができる。
【発明を実施するための最良の形態】
【００１６】
以下、本発明の好適な実施形態について添付図面を参照して詳細に説明する。下記説明において、本発明の要旨のみを明瞭にするために、公知の機能又は構成についての詳細な説明は省略する。なお、図面中、同一の構成要素及び部分には、可能な限り同一の符号及び番号を共通使用するものとする。
【００１７】
本発明において、衛星ＤＭＢのようなリターンパス（return path）を有する端末機は、中継器から受信される信号の受信性能を分析した後に、受信性能情報をブロードキャスティングセンター、又は、網管理センターのような中央管理センターへ送信することによって、管理センターが中継器の送信角度を調整することによって、すべての端末機に最適の受信状態を提供する。
【００１８】
まず、ＤＭＢ端末機、中継器、及び管理センターを含む無線通信システムを、図３を参照して説明する。
【００１９】
ＤＭＢサービスを提供するために、ブロードキャスティングセンターは、１３．８２４〜１３．８８３ＧＨｚの放送信号を衛星へ送信する。すると、上記衛星は、良質の信号を端末機へ提供するように、中継器３００、３０２、３０４へ１２．２１４〜１２．２３９ＧＨｚの信号を送信する。図３には、上記衛星は図示されていない。
【００２０】
このように、衛星から放送信号を受信する中継器３００、３０２、３０４は、衛星信号が到達することができない地域に位置した端末機へ上記信号を送信する。従って、衛星から受信された１２．２１４〜１２．２３９ＧＨｚの信号を復調した後に、都心地域のような多重フェージング環境でも移動受信が可能であるように変調した後に、２．６３０〜２．６５５ＧＨｚの信号を最終的に出力する。
【００２１】
中継器３００、３０２、３０４から信号を受信するＤＭＢ端末機３１０は、固定型、移動型、及び車両に付着されるタイプなどのような多様な種類を使用することができ、上記衛星から上記信号を直接受信するか、又は、中継器３００、３０２、３０４を介して上記信号を受信する。
【００２２】
図５に示すように、ＤＭＢ端末機３１０は、ＤＭＢ端末機制御部５００、無線部５０２、アンテナＡＮＴ、及びメモリ５０４とを含む。
【００２３】
アンテナを介して受信されるＤＭＢ信号は、無線部５０２を介して基底帯域に変換して、復調及びデインターリービングなどのような信号を処理した後に、上記処理された信号をＤＭＢ端末機制御部５００へ出力する。
【００２４】
上記出力信号を受信したＤＭＢ制御部５００は、受信された信号を処理し、特に、受信された信号の強度、パケットエラー率、及び上記中継器に従う受信信号の個々のビットエラー率、及びすべての中継器に対する統合ビットエラー率を上記受信信号から計算する。ここで、上記受信信号の強度、上記パケットエラー率、上記中継器に従う受信信号の個々のビットエラー率、及びすべての中継器に対する統合ビットエラー率に関する情報を受信性能情報と称する。
【００２５】
上記受信性能情報は、下記表１のように示される。
【００２６】
【表１】
2008508784.tif 000003
【００２７】
ＤＭＢ端末機制御部５００は、上記受信された信号から検査された受信性能情報を無線部５０２を介して管理センター３２０へ送信する。このとき、ＤＭＢ端末機３１０は、無線網３０６を介して管理センター３２０へ上記受信性能情報を送信する。ここで、現在受信された信号に関する受信性能情報は、ビタビデコーダで訂正されたエラー値となることができる。
【００２８】
この後、ＤＭＢ端末機制御部５００は、上記中継器から連続して受信される信号に対して受信性能情報を検査して、上記受信性能情報をメモリ部５０４に記憶されている最適の受信性能情報と同一であるか否かを検査する。現在の受信性能情報が上記最適受信性能情報と同一でないと、現在の受信性能情報を管理センター３２０へ送信する。ここで、上記最適の受信性能情報は、受信された信号に対して受信性能情報が良好であると判断するための基準エラー値である。すなわち、上記現在の受信信号に対するエラー値が基準エラー値以下である場合に、上記現在の受信信号に関する受信性能情報が良好であると判断される。上記現在の受信性能情報が上記最適の受信性能情報と同一ではなく、従って、ＤＭＢ端末機制御部５００が現在の受信性能情報を管理センター３２０へ送信する場合に、管理センター３２０は、上記受信性能情報を使用することによって、中継器３００、３０２、３０４を制御する。従って、管理センター３２０が中継器３００、３０２、３０４を適切に制御するか否かを確認するために、ＤＭＢ端末機制御部５００は、後続して受信された信号に関する受信性能情報を測定して送信しなければならない。
【００２９】
図８を参照して、本発明のＤＭＢ端末機３１０で受信信号を処理する方法について説明する。
【００３０】
図８を参照すると、まずＤＭＢ端末機３１０は、ステップＳ８０１で、上記中継器から送信された信号を受信すると、ステップＳ８０３で、受信信号に関する受信性能情報を計算する。上述したように、上記受信性能情報は、上記受信信号の強度、上記パケットエラー率、上記中継器に従う受信信号の個々のビットエラー率、及びすべての中継器に対する統合ビットエラー率に関する情報である。
【００３１】
ＤＭＢ端末機３１０は、ステップＳ８０５で、上記計算された受信性能情報が最適の受信性能情報と同一であるか否かを比較する。すなわち、上記現在の受信信号に対する統合エラー率を基準エラー率値と比較する。ステップＳ８０５で、上記現在の受信信号に対するエラー率が基準エラー率値以上であると、ＤＭＢ端末機３１０は、ステップＳ８０７へ進行して、上記計算された受信性能情報を管理センター３２０へ送信する。また、ＤＭＢ端末機３１０は、中継器３００、３０２、３０４から連続して送信された信号に関する受信性能情報を管理センター３２０へさらに送信する。その理由は、ＤＭＢ端末機３１０から管理センター３２０へ送信された受信性能情報を使用することによって、管理センター３２０が中継器３００、３０２、３０４を適切に制御しているかどうかを確認するためである。
【００３２】
ステップＳ８０５で、上記受信信号のエラー率が基準値以下である場合に、ＤＭＢ端末機３１０は、ステップＳ８０１へ進行する。すなわち、ＤＭＢ端末機３１０は、中継器３００、３０２、３０４からの信号を継続して受信し、上記受信された信号に関する受信性能情報を計算し、必要であれば、上記計算された受信性能情報を管理センター３２０へ送信する。
【００３３】
ＤＭＢ端末機制御部５００から受信性能情報を受信した管理センター３２０は、各ＤＭＢ端末機の受信状態を最適化することができるように、上記受信された受信性能情報に従って中継器３００、３０２、３０４を制御する。ここで、管理センター３２０は、上記ブロードキャスティングサービスを提供するためのブロードキャスティングセンターと同一のシステムであってもよく、または、ネットワーク管理のみを遂行する別途の管理センターであってもよい。管理センター３２０の内部の構成は、図６のように示される。
【００３４】
図６を参照すると、管理センター３２０は、制御部６００と、無線部６０２と、アンテナＡＮＴとを含む。無線部６０２は、アンテナを介して中継器３００、３０２、３０４と信号を送受信し、特に、本発明では、中継器３００、３０２、３０４を制御するための情報、すなわち、受信性能情報及び制御情報を送受信する役割を遂行する。制御部６００は、上記受信性能情報を受信する場合に、上記受信性能情報を使用して、各中継器３００、３０２、３０４に対する送信信号の強度及び送信角度を計算する。また、制御部６００は、中継器３００、３０２、３０４別に計算された送信信号の強度及び送信角度を含んでいる制御信号を生成し、上記制御信号を各中継器３００、３０２、３０４へ送信する。
【００３５】
上記制御信号を受信した中継器３００、３０２、３０４の各々は、上記受信された制御情報に基づいて、自身の送信信号の強度及び送信角度を調整する。すると、図３に示すように、管理センター３２０の制御信号に従って、上記中継器の各々の送信半径が変更され、これによって、ＤＭＢ端末機３１０は、上記ブロードキャスティング信号を最適に受信することができる。
【００３６】
図９を参照して、管理センター３２０の動作手順について詳細に説明する。
【００３７】
図９を参照すると、ステップＳ９０１で、管理センター３２０は、受信性能情報が中継器３００、３０２、３０４から受信されるか否かを確認する。上記受信性能情報が受信される場合に、管理センター３２０は、ステップＳ９０５で、ＤＭＢ端末機３１０の受信性能を向上させるために、上記受信性能情報に基づいて、中継器３００、３０２、３０４の各々に対する送信信号の強度及び送信角度を計算する。その後に、ステップＳ９０７で、上記計算された送信信号の強度及び送信角度を含んでいる制御情報を中継器３００、３０２、３０４の各々へ送信する。
【００３８】
すると、中継器３００、３０２、３０４の各々は、上記受信された制御情報に従って、自身の送信信号の強度及び送信角度を調整する。この後、ＤＭＢ端末機３１０は、上記調整された中継器３００、３０２、３０４の各々から送信された信号の受信性能情報を計算し、上記受信性能情報を中継器３００、３０２、３０４へ送信する。従って、管理センター３２０は、ステップＳ９０９で、ＤＭＢ端末機３１０が送信した受信性能情報を中継器３００、３０２、３０４から受信して、上記受信性能情報が適切であるか否かを確認する。管理センター３２０は、上記受信性能情報が適切である場合には、上記手順を終了する。一方、上記受信性能情報が適切ではない場合には、上記受信性能情報が適切になるときまで、ステップＳ９０１乃至ステップＳ９０９を繰返し遂行する。
【００３９】
一方、ステップＳ９０１で、管理センター３２０が上記受信性能情報を受信しないと、管理センター３２０は、ステップＳ９０３で該当機能を遂行する。このような手順は、本発明とは関連がないので、これに関する説明は省略するものとする。
【００４０】
上述したように、ＤＭＢ端末機３１０が現在信号を受信する中継器の信号情報である受信性能情報を管理センター３２０へ送信し、管理センター３２０は、このような情報を用いて、該当中継器の送信角度を調整することによって、端末機が最適の受信状態にあるようにする。このように、管理センター３２０は、ＤＭＢ端末機３１０から送信される受信性能情報に従って、中継器３００、３０２、３０４の各々を制御すると、上記中継器の信号重複領域、又は、上記中継器のカバレッジエリアに位置したＤＭＢ端末機３１０が上記信号を不適切に受信することを防止することができる。
【００４１】
すると、図７を参照して、本発明の実施形態による無線通信システムにおいて、ＤＭＢ端末機３１０の受信性能を向上させるための中継器３００、３０２、３０４、ＤＭＢ端末機３１０、及び管理センター３２０との間の信号フローについて説明する。図７は、上記受信性能を向上させるためのＤＭＢ端末機３１０と、管理センター３２０と、中継器３３０との間で送受信される信号フローを示すフローチャートである。
【００４２】
まず、ステップＳ７００で、ＤＭＢ端末機３１０の制御部５００は、無線部５０２を介して受信される信号に対して受信性能情報を検査する。ここで、上記受信性能情報を検査するということは、上記信号を現在受信している中継器の個別ビットエラー率、又は、すべての中継器の統合ビットエラー率、受信信号の強度、及びパケットエラー率などを検査することを意味する。すると、御部５００は、ステップＳ７０２で、上記受信性能情報を無線部５０２を介して管理センター３２０へ無線網を経て送信する。ここでは、１つのＤＭＢ端末機３１０のみが説明されているが、ステップＳ７００で、複数のＤＭＢ端末機は、上記受信性能情報を検査して無線網を介して管理センター３２０へ送信する。
【００４３】
ステップＳ７０４で、管理センター３２０の制御部６００は、ＤＭＢ端末機３１０を含む複数のＤＭＢ端末機から受信されたすべての中継器に関する情報、すなわち、受信性能情報に基づいて、すべての地域でのＤＭＢ端末機が最適化された中継器の信号を受信することができるように、各中継器の送信信号の強度及び送信角度を計算する。このとき、上記ＤＭＢ端末機から送信された受信性能情報は、表１に示すように構成される。
【００４４】
ステップＳ７０６で、管理センター３２０の制御部６００は、ステップＳ７０６で計算された送信信号の強度及び送信角度を該当中継器へ送信する。管理センター３２０は、すべてのＤＭＢ端末機の信号の受信性能を最適化するために、良好な信号が特定の地域のみへ送信されることを防止し、すべての地域でＤＭＢ端末機が良好な信号を受信することができるように、実時間で情報を分析して上記中継器を制御する。
【００４５】
ステップＳ７０８で、管理センター３２０から制御信号を受信した中継器３３０は、現在の中継器のカバレッジエリアに位置した端末機が最適の信号を受信することができるように、上記受信された送信信号及び送信角度で中継器を調整する。
【００４６】
また、ステップＳ７１６で、ＤＭＢ端末機３１０の制御部５００は、現在の受信信号に関する受信性能情報をメモリ５０４に記憶されている最適の受信性能情報と比較する。現在の受信信号に関する受信性能情報が最適の受信性能情報と同一でない場合には、制御部５００は、ステップＳ７００へ進行して、上記現在の受信性能情報を管理センター３２０へ送信する。
【００４７】
また、管理センター３２０は、ＤＭＢ端末機３１０から新たに受信された受信性能情報に基づいて、実時間で上記中継器を制御する。
【００４８】
このように、端末機が最適の受信状態となるときまで、ステップＳ７００乃至ステップＳ７１６を反復して遂行する。上記受信性能が改善すると、改善した状態は維持される。上記受信性能が悪化すると、ステップＳ７００乃至ステップＳ７１６をさらに遂行する。
【００４９】
上述したように、ＤＭＢ端末機３１０の各々は、自身の受信状態、すなわち、受信性能情報を管理センター３１０に実時間で報告し、管理センター３２０は、上記受信性能情報を分析して、中継器３３０の各々の送信信号の強度及び送信角度を実時間で調整して、すべての端末機が最適化された信号を受信することができるように制御する。
【００５０】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００５１】
【図１】無線通信システムにおける中継器から信号を受信するＤＭＢ端末機を示す図である。
【図２】無線通信システムにおける中継器から信号を受信するＤＭＢ端末機を示す図である。
【図３】本発明の好ましい実施形態によるＤＭＢ無線通信システムの構成を概略的に示す図である。
【図４】本発明の好ましい実施形態によるＤＭＢ端末機と管理センターとの間の通信概念を示す図である。
【図５】本発明の好ましい実施形態によるＤＭＢ端末機の内部の構成を示す図である。
【図６】本発明の好ましい実施形態による管理センターの内部の構成を示す図である。
【図７】本発明の実施形態に従って受信性能を改善するためのＤＭＢ端末機と、管理センターと、中継器との間の信号フローのフローチャートである。
【図８】本発明の好ましい実施形態によるＤＭＢ端末機での受信信号処理過程を示すフローチャートである。
【図９】本発明の好ましい実施形態による管理センターでの動作手順を示すフローチャートである。
【符号の説明】
【００５２】
３００、３０２、３０４  中継器
３０６  無線網
３１０  ＤＭＢ端末機
３２０  管理センター
【図１】
2008508784.tif 000004
【図２】
2008508784.tif 000005
【図３】
2008508784.tif 000006
【図４】
2008508784.tif 000007
【図５】
2008508784.tif 000008
【図６】
2008508784.tif 000009
【図７】
2008508784.tif 000010
【図８】
2008508784.tif 000011
【図９】
2008508784.tif 000012
【国際調査報告】
2008508784.tif 000013
2008508784.tif 000014